(57)【要約】      （修正有）【課題】  切替装置において、僅かの液圧的な構成要素でもって、往復動式の液圧ピストンの位置調節力、もしくは位置調節速度が、簡単な構造およびやり方で変化可能である、切替装置を提供する。【解決手段】  液圧的な直線駆動装置、特に液圧的な変速機アクチュエータであって、ピストン／シリンダーユニットにおいて、調節ピストン４が、シリンダー室を、少なくとも２つの圧力室６ａ、６ｂに分割し、これら圧力室が、制御導管８、１０を介して、液圧油でもって付勢可能であり、圧力室６ａ、６ｂの圧力負荷が、位置切替弁１２によって制御可能である様式の、液圧的な直線駆動装置に関する。圧力室６ａ、６ｂへと通じている、両方の制御導管８、１０の間に、結合導管２０が設けられており、この結合導管内において、制御弁２２が、選択的に、この結合導管２０を開放または遮断する。【選択図】      図１
2006046648.tif 000002
【特許請求の範囲】
【請求項１】
液圧的な直線駆動装置、特に液圧的な変速機アクチュエータであって、この液圧的な直線駆動装置が、ピストン／シリンダーユニットを有しており、
このピストン／シリンダーユニットにおいて、
シリンダーハウジング（２）内において長手方向に摺動可能に設けられた調節ピストン（４）が、シリンダー室を、少なくとも２つの圧力室（６ａ、６ｂ）に分割し、これら圧力室が、制御導管（８、１０）を介して、液圧油でもって付勢可能であり、その際、
選択的に、これら両方の圧力室（６ａ、６ｂ）の圧力負荷が、切替弁（１２）によって制御可能である様式の、上記液圧的な直線駆動装置において、
圧力室（６ａ、６ｂ）へと通じている、両方の制御導管（８、１０）の間に、結合導管（２０）が設けられており、この結合導管内において、制御弁（２２、２２′）が、選択的に、この結合導管（２０）を開放または遮断するように構成されていることを特徴とする液圧的な直線駆動装置。
【請求項２】
制御弁（２２）は、３つの切替位置、即ち、
その第１の切替位置（２２ａ）においてこの結合導管（２０）が閉鎖されている第１の切替位置（２２ａ）、
小さな開口断面積を有する、第２の切替位置（２２ｂ）、および、
より大きな開口断面積を有する第３の切替位置（２２ｃ）、
を有しており、これら開口断面積内において、結合導管（２０）を通る流過が抑制可能であるように構成されていることを特徴とする請求項１に記載の液圧的な直線駆動装置。
【請求項３】
制御弁（２２′）は、２つの切替位置、即ち、
第１の閉鎖された切替位置（２２′ａ）、および第２の開放された切替位置（２２′ｂ）を有していること、および、この制御弁（２２′）が、周期的に作動可能であるように構成されていることを特徴とする請求項１に記載の液圧的な直線駆動装置。
【発明の詳細な説明】
【技術分野】
【０００１】
本発明は、請求項１の上位概念の特徴による、液圧的な直線駆動装置、特に液圧的な変速機アクチュエータに関する。
【背景技術】
【０００２】
液圧的な直線駆動装置は、例えば、自動化された切替変速機において、変速機ギヤの同期化のために使用される（例えば、ヨハネス  ローマン著「歯車変速機」、第２版、１５６頁以下（非特許文献１）を参照）。
【０００３】
冒頭に記載した様式の液圧的な直線駆動装置の場合、
２つの圧力室によって区画されたダブルピストンが、適当な圧力負荷によって、それぞれに、左側または右側に摺動され、その際、例えば、ドイツ連邦共和国特許出願公開第１９８  ３４  ９５５号明細書（特許文献１）に図示され、且つ説明されているように、
付加的な、両方の制御導管内に一体にまとめられた制御弁によって、液圧ピストンの位置調節速度が調節可能である。
【特許文献１】ドイツ連邦共和国特許出願公開第１９８  ３４  ９５５号明細書
【非特許文献１】ヨハネス  ローマン著「歯車変速機」、第２版、１５６頁以下（Johannes Loomann, Zahnradgetriebe, 2. Auflage, Seite 156 ff.）
【発明の開示】
【発明が解決しようとする課題】
【０００４】
従って、本発明の課題は、その切替装置において、僅かの液圧的な構成要素でもって、往復動式の液圧ピストンの位置調節力、もしくは位置調節速度が、簡単な構造およびやり方で変化可能である、切替装置を提供することである。
【課題を解決するための手段】
【０００５】
この課題は、請求項１に提示された特徴によって解決される。
【発明の効果】
【０００６】
圧力室へと通じている、両方の制御導管の間に、結合導管が設けられており、この結合導管内において、制御弁が、選択的に、この結合導管を開放または遮断することによって、圧力でもって付勢される圧力室への容積流量は制御可能であり、従って、これに伴って、液圧ピストンの位置調節速度、もしくは位置調節力が調整される。従って、例えば液圧的な変速機アクチュエータとして直線駆動装置を使用する際に、同期力の低減が可能であり；且つ、快適なギヤシフトが所望される場合、僅かの調節力でもって段が入れられ、これに対して、所望されたスポーツ的なシフト動作の際に、この変速機アクチュエータが、高い同期力でもって操作可能である。
【０００７】
従属請求項に提示された特徴によって、液圧的な直線駆動装置の、更に有利な実施形態および他の構成が可能である。
【０００８】
結合導管内に一体にまとめられた制御弁は、第１の有利な実施形態において、３つの切替位置を有しており、第１の切替位置において、この結合導管が閉鎖されており、第２の切替位置において、この結合導管が、小さな開口断面積でもって、および、第３の切替位置において、より大きな開口断面積でもって開放されている。これら３つの、先に記載された不連続の切替位置と並んで、制御弁は、完全に開放された切替位置と、完全に閉鎖された切替位置との間で連続的に位置調節可能である、位置調節可能な弁部材を有している、ことも可能である。
【０００９】
第２の有利な実施形態において、制御弁は、第１の閉鎖された切替位置、および第２の開放された切替位置を有しており、その際、この制御弁が、これら両方の切替位置の間で周期的に作動可能である。このことによって、液圧油でもって付勢された圧力室への容積流量、および従って、液圧ピストンに対して作用する調節力を変化させることも可能である。
【００１０】
次に、本発明の２つの実施例を図に示し、以下において詳しく説明する。
【発明を実施するための最良の形態】
【００１１】
図１に図示された、例えば自動化された切替変速機ための液圧的な変速機アクチュエータとして使用可能な、液圧的な直線駆動装置は、シリンダーハウジング２を有しており、このシリンダーハウジング内において、左側および右側にこのシリンダーハウジング２から導出された２つのピストンロッド４ａおよび４ｂを有する、往復動式の調節ピストン４が、長手方向に摺動可能に収容されている。この調節ピストン４は、シリンダー室を、２つの圧力室６ａおよび６ｂに分割しており、これら圧力室と、それぞれ１つの液圧的な制御導管８および１０が接続されている。これら両方の制御導管８および１０は、４ポート３位置切替弁１２の２つの出口側と接続されており、この４ポート３位置切替弁が、入口側で、２つの更に別の接続部を装備し、これら接続部が、油タンク１４、および、例えば油ポンプの様式における圧力供給源１６と結合されている。
【００１２】
圧力室６ａおよび６ｂへと通じている、両方の制御導管８と１０との間に、結合導管２０が設けられており、この結合導管内において、制御弁２２が、選択的に、この結合導管２０を開放または遮断する。この制御弁２２は、３つの切替位置を有しており、その際、第１の切替位置２２ａにおいて、この結合導管２０が閉鎖されており、これに対して、第２の切替位置２２ｂにおいて、小さな開口断面積でもって、および、第３の切替位置２２ｃにおいて、より大きな開口断面積でもって、この結合導管２０が、この圧力室６ａもしくは６ｂに対して抑制されている。これら３つの不連続に具現された切替位置と並んで、制御弁２２は、開口部が「完全に開放された状態」と「完全に閉鎖された状態」との間で連続的に監視する弁部材を有している、ことも可能である。
【００１３】
調節ピストン４の位置調節、もしくは、この調節ピストン４のための位置調節力の選択は、
以下の構造およびやり方で行われ：即ち、
例えば、４ポート３位置切替弁１２を介して、この左側の切替位置において、制御導管８を通って、圧力室６ａが液圧油でもって付勢される場合、油容積流量の一部が、結合導管２０、および制御導管１０を介して、再び油タンク１４に供給されるというやり方で、この圧力室６ａ内における圧力は、制御弁２２を介して、適当に変化される。
この制御導管１０を介して還流する油量は、その際、この制御弁２２を介して選択的に調節可能である。
【００１４】
図２に図示された実施例は、ただ制御弁２２′の様式においてだけ異なっており、この制御弁が、単に２つの切替位置−第１の閉鎖された切替位置２２′ａ−および−第２の開放された切替位置２２′ｂ−を有している。この制御弁２２′の周期的な作動によって、調節ピストン４の位置調節速度の、もしくは位置調節力の制御ための、先に記載された機能は、同様に転換可能である。
【図面の簡単な説明】
【００１５】
【図１】第１の実施形態に従う、液圧的な直線駆動装置のための配管図である。
【図２】第２実施形態に従う、液圧的な直線駆動装置のための配管図である。
【符号の説明】
【００１６】
２    シリンダーハウジング
４    調節ピストン
４ａ、４ｂ  ピストンロッド
６ａ、６ｂ  圧力室
８、１０  制御導管
１２  ４ポート３位置切替弁
１４  油タンク
１６  圧力供給源
２０  結合導管
２２ａ  第１の切替位置
２２ｂ  第２の切替位置
２２ｃ  第３の切替位置
２２′  制御弁
２２′ａ  第１の閉鎖された切替位置
２２′ｂ  第２の開放された切替位置
【図１】
2006046648.tif 000003
【図２】
2006046648.tif 000004